(57)【特許請求の範囲】
【請求項１】
器壁への押圧によって容量が減少することができる液体用包装容器であって、
ストロー孔用の下端口と液体噴出用の上部口とを有する管状ストロー本体と、
底面に該本体を気密的に貫通する貫通孔を有するカップとを備え、
該包装容器の上部に、該ストロー本体の少なくとも一部外周で気密であるストロー孔を有する、
ことを特徴とする包装容器。
【請求項２】
該カップが、側壁にスケールを備える、請求項１記載の包装容器。
【請求項３】
該カップが、気密を維持して該ストロー本体が貫通する位置を可動する、請求項１記載の包装容器。
【請求項４】
該液体噴出用上部口に、逆流防止弁が設けられている、請求項１記載の包装容器。
【請求項５】
該液体噴出用上部口が、逆Ｕ字形状を有し、端口が下向きである、請求項１記載の包装容器。
【請求項６】
器壁への押圧によって容量が減少することができる液体用包装容器用のストローであって、
ストロー孔用の下端口と液体噴出用の上部口とを有する管状ストロー本体と、
底面に該本体を気密的に貫通する貫通孔を有する透明なカップとを備え、
該ストロー本体が、該包装容器の上部のストロー孔と気密となる少なくとも一部外周を有する、
ことを特徴とするストロー。
【発明の詳細な説明】
【技術分野】
【０００１】
本発明は、包装容器及びストローに関し、詳しくは、ストロー上部に配設されたカップを用いて容器内部から液体を利用・飲用できる包装容器及びストローに関する。
【背景技術】
【０００２】
従来、飲用液体容器用のストロー及び、飲用液体用包装容器では、ストローを容器の頂面に形成されたストロー孔に突き刺すことによって、使用者がストロー上端から吸って、牛乳やジュース等の液体飲料、流動食、シロップ、醤油、食用油、液体薬などの内容液を飲用することができる。
図３に従来例を示すように、ストロー１を容器２の頂面３に形成されたストロー孔４に突き刺すことによって、使用者がストロー上端１ａから吸って、内容液を飲用することができる。
【０００３】
このストローは、牛乳やジュース等の液体飲料が充填密封された液体食品容器に、飲用ストロー包装体としてその容器の側面に仮接着されている。（例えば、特許文献１参照）
【特許文献１】特開２００３−４０３３４号公報。
【発明の開示】
【発明が解決しようとする課題】
【０００４】
しかしながら、従来のストローで液体食品を飲用する場合、直接口に入れるために、内容物の色合い、澄み具合、香りなどを感じることが出来ない。
また、流動食、薬など飲用する量が決められている場合、飲用量をコントロールすることが難し。
更に、ストロー径を大きくしても、お酒、ビールなどで好まれように一気に飲むことができない。
本発明は、このような従来のストロー包装体の問題点を解決して、内容物の色合い、澄み具合、香りなどを感じることができ、飲用量をコントロールすることが容易で、しかも、一気に飲むことも可能な包装容器及びストローを提供することを目的とする。
【課題を解決するための手段】
【０００５】
本発明の包装容器は、器壁への押圧によって容量が減少することができる液体用包装容器であって、ストロー孔用の下端口と液体噴出用の上部口とを有する管状ストロー本体と、底面に本体を気密的に貫通する貫通孔を有するカップとを備え、包装容器の上部に、ストロー本体の少なくとも一部外周で気密であるストロー孔を有する、ことを特徴とする。
【０００６】
この発明の好ましい態様において、カップが、側壁にスケールを備える。
【０００７】
この発明の好ましい態様において、カップが、気密を維持してストロー本体が貫通する位置を可動する。
【０００８】
この発明の好ましい態様において、液体噴出用上部口に、逆流防止弁が設けられている。
【０００９】
この発明の好ましい態様において、液体噴出用上部口が、逆Ｕ字形状を有し、端口が下向きである。
【００１０】
本発明のストローは、器壁への押圧によって容量が減少することができる液体用包装容器用のストローであって、ストロー孔用の下端口と液体噴出用の上部口とを有する管状ストロー本体と、底面に本体を気密的に貫通する貫通孔を有する透明なカップとを備え、ストロー本体が、包装容器の上部のストロー孔と気密となる少なくとも一部外周を有する、ことを特徴とする。
【発明の効果】
【００１１】
本発明の包装容器は、器壁への押圧によって容量が減少することができる液体用包装容器である。
本発明の包装容器では、例えば、可撓性がある紙容器、プラスチック製ＰＥＴボトル、パウチ容器などでは、把持することによって、側壁を押すことによって、容器・袋全体を握ることによって、器の容量が減少する。
【００１２】
本発明による管状ストロー本体は、ストロー孔用の下端口と液体噴出用の上部口とを有する。
ストロー本体の下端をストロー孔に差し込み開口し、容器内部に底部に差し入れる。下端口から内容液が入り込み、ストロー本体の管内を伝って上部口から液体が噴出させることができる。
【００１３】
本発明によるカップは、底面にストロー本体を気密的に貫通する貫通孔を有する。ストロー本体内を流動する液体は、貫通孔から漏れること無く、カップ内部に入り、また、カップから容器本体に戻ることができる。
【００１４】
本発明によるストロー孔は、包装容器の上部に、ストロー本体の少なくとも一部外周で気密であるを有する。
ストロー孔とストロー本体の外周とが気密であるので、容器の器壁への押圧によって容量が減少するとき、容器内の液体が、漏れること無く、下端口からストロー本体内に入り、ストロー本体の管内を伝って上部口から液体が噴出させることができる。
【００１５】
この発明の好ましい態様において、カップが、側壁にスケールを備えるので、例えば、内容液がシロップ、醤油、食用油、液体薬などの場合のように、用量をコントロールすることが容易である。
【００１６】
この発明の好ましい態様において、カップが、気密を維持してストロー本体が貫通する位置を可動するので、内容液が食用油、シロップ、醤油、液体薬などの場合に、用量をコントロールすることが容易である。
【００１７】
この発明の好ましい態様において、液体噴出用上部口に、逆流防止弁が設けられているので、不用意に、コップに出た液体が容器内部に戻ることを防止することができる。
【００１８】
この発明の好ましい態様において、液体噴出用上部口が、逆Ｕ字形状を有し、端口が下向きであるので、包装容器を、強く把持することによって、側壁を強く押すことによって、容器・袋全体を強く握ることによって、上部口から液体が勢いよく噴出して、コップから飛び出ることを防止することができる。
また、コップに蓋を設けて、上部口から液体が勢いよく噴出して、コップから飛び出ることを防止することもできる。
【００１９】
本発明のストローは、器壁への押圧によって容量が減少することができる液体用包装容器用のストローであって、ストロー孔用の下端口と液体噴出用の上部口とを有する管状ストロー本体と、底面に本体を気密的に貫通する貫通孔を有する透明なカップとを備え、ストロー本体が、包装容器の上部のストロー孔と気密となる少なくとも一部外周を有する。
コップが透明であるので、内容物の色合い、澄み具合を楽しむことができ、コップ上方から香り、風味などを感じることができる。
【発明を実施するための最良の形態】
【００２０】
以下、本発明の実施の形態について図面を参照しながら詳細に説明する。
図１は、この発明による一実施例における、コップを備えたストローがストロー孔に差込まれた紙容器を示す斜視図（ａ）、スケールを有する態様を示す断面図（ｂ）、別の態様を示す断面図（ｃ）である。図２は、この発明による別実施例における、コップを備えたストローがストロー孔に差込まれたパウチ容器を示す斜視図（ａ）、逆Ｕ字形の液体噴出用上部口を有する態様を示す断面図（ｂ）、蓋を有する態様を示す断面図（ｃ）である。
【００２１】
図１に示す実施例によるコップ５を備えたストロー１がストロー孔４に差込まれた紙容器は、可撓性がある紙容器２であって、側壁を押すことによって、器の容量が減少する。
この態様による管状ストロー本体１ｃは、ストロー孔用の下端口１ｂと液体噴出用の上部口１ａとを有する。ストロー本体１ｃの下端１ｂをストロー孔４に差し込み、容器内部に底部に差し入れることができる。
【００２２】
この態様によるカップ５は、底面にストロー本体１ｃを気密的に貫通する貫通孔５ａを有する。ストロー本体内を流動する液体６は、貫通孔５ａから漏れること無く、図１（ｂ）に示すように、カップ内部に入る。
図１（ｂ）に示す態様において、カップ５が、側壁にスケール７を備える。例えば、内容液がシロップ、液体薬などの場合では、用量をコントロールすることが容易である。
【００２３】
図１（ｃ）に示すように、側壁を押すことを弱めると可撓性があるので、カップ５から容器本体２に戻ることができる。カップ５が、気密を維持してストロー本体が貫通する位置を可動することができるので、その位置（液体噴出用の上部口１ａの位置）まで戻り、用量をコントロールすることが容易である。
【００２４】
ストロー孔４は、包装容器２の上部に、ストロー本体１ａの外周で気密であるを有する。
容器の器壁への押圧によって容量が減少するとき、容器内の液体が、漏れること無く、下端口１ｂからストロー本体１ｃ内に入り、ストロー本体１ｃの管内を伝って上部口１ａから液体が噴出させることができる。
【００２５】
図２に示す実施例によるコップ５を備えたストロー１がストロー孔４に差込まれたパウチ容器は、バリアフィルムのパウチ容器２であって、容器全体を握ることによって、器が潰れその容量が減少する。
この態様による管状ストロー本体１ｃは、ストロー孔用の下端口１ｂと液体噴出用の上部口１ａとを有する。ストロー本体１ｃの下端１ｂをストロー孔４に差し込み、容器内部に底部に差し入れることができる。
【００２６】
この態様によるカップ５は、底面にストロー本体１ｃを気密的に貫通する貫通孔５ａを有する。ストロー本体内を流動する液体６は、貫通孔５ａから漏れること無く、図２（ｂ）に示すように、カップ内部に入る。
図２（ｂ）に示す態様において、液体噴出用上部口１ａが、逆Ｕ字形状１ｄを有し、端口１ａが下向きであるので、包装容器２を、強く袋全体を強く握ることによって、上部口から液体が勢いよく噴出して、コップから飛び出ることを防止することができる。
【００２７】
図２（ｃ）に示すように、コップ５に蓋８を設けて、上部口１ａから液体６が勢いよく噴出しても、コップ５から飛び出ることを防止することもできる。
【００２８】
図２に示す態様では、ストロー孔４は、包装容器２の上部に、ストロー本体１ａの外周で気密であるを有する。
袋全体を握って内容液を噴出させても、容器内の液体６が、漏れること無く、下端口１ｂからストロー本体１ｃ内に入り、ストロー本体１ｃの管内を伝って上部口１ａから液体が噴出させることができる。
【００２９】
なお、本発明は前記実施の形態に限定されるものではなく、本発明の趣旨に基づいて種々変形させることが可能であり、それらを本発明の範囲から排除するものではない。
【産業上の利用可能性】
【００３０】
この発明のストロー及び包装容器によって、牛乳、ジュース、ミネラルウォーターなどの飲料、流動食品などの包装に利用することができる。
【図面の簡単な説明】
【００３１】
【図１】図１は、この発明による一実施例における、コップを備えたストローがストロー孔に差込まれた紙容器を示す斜視図（ａ）、スケールを有する態様を示す断面図（ｂ）、別の態様を示す断面図（ｃ）である。
【図２】図２は、この発明による別実施例における、コップを備えたストローがストロー孔に差込まれたパウチ容器を示す斜視図（ａ）、逆Ｕ字形の液体噴出用上部口を有する態様を示す断面図（ｂ）、蓋を有する態様を示す断面図（ｃ）である。
【図３】図３は、従来例のストローの使用態様を示すを示す斜視図である。
【符号の説明】
【００３２】
１    ストロー
２    包装容器
４    ストロー孔
５    カップ
６    液体
【図１】
0005046112.tif 000002
【図２】
0005046112.tif 000003
【図３】
0005046112.tif 000004